(57)【要約】【課題】  入隅に配置される外壁パネルの端部を固定する際に、外壁取付具周りのスペースが狭隘な場合においても、容易に外壁パネルを脱着することのできる外壁取付具及び外壁取付具を用いた外壁取付構造を提供することを目的とする。【解決手段】  外壁取付具１は、屋内側の側端から側方向へ突出する板片２１を設置した外壁パネル２の側端部を外壁下地材３に固定する金具であって、外壁下地材３に支持されるとともに板片２１に当接する支持部材１１と、支持部材１１の先端側に形成される固定部１１ｃの屋外側に締付固定されて、板片２１を支持部材１１に押える板状の押え板１２と、を備え、固定部１１ｃは、板片２１の先端より水平方向へ突出し、且つ、屋外方向へ傾斜して押え板１２を水平方向へスライド自在に固定する。【選択図】図２
2019019644.tif 000002
【特許請求の範囲】
【請求項１】
屋内側の側端から側方向へ突出する板片を設置した外壁パネルの側端部を外壁下地材に固定する外壁取付具であって、
前記外壁下地材に支持されるとともに前記板片に当接する支持部材と、
前記支持部材の先端側に形成される固定部の屋外側に締付固定されて、前記板片を前記支持部材に押える板状の押え板と、を備え、
前記固定部は、前記板片の先端より水平方向へ突出し、且つ、屋外方向へ傾斜して前記押え板を水平方向へスライド自在に固定することを特徴とする外壁取付具。
【請求項２】
前記押え板は、前記固定部の前記板片に対する傾斜角度未満の角度で折曲げられていることを特徴とする請求項１に記載の外壁取付具。
【請求項３】
前記固定部は、内周面に雌ねじを有する第一挿通孔を有し、
前記押え板は、前記板片の延びる方向へ細長な第二挿通孔を有し、
前記固定部及び前記押え板は、該押え板側から前記第二挿通孔を挿通して前記第一挿通孔に螺着されるボルトによって、前記板片を間に挟んだ状態で固定されることを特徴とする請求項１又は請求項２に記載の外壁取付具。
【請求項４】
前記固定部と前記押え板との間に、前記ボルトに外嵌するコイルばねが介在することを特徴とする請求項１から請求項３のいずれかに記載の外壁取付具。
【請求項５】
建物の入隅を形成する２つの外壁パネルの交差部の小口面を屋内側に向って傾斜させて形成される外壁目地に、請求項１から請求項４のいずれかの外壁取付具の前記押え板が面するようにして、前記２つの外壁パネルのうち一方の外壁パネルと前記建物の外壁下地材とが連結固定されることを特徴とする外壁取付構造。
【発明の詳細な説明】
【技術分野】
【０００１】
この発明は、建物外壁及びバルコニー腰壁の入隅等に配置される外壁パネルの端部を固定する外壁取付具及び外壁取付構造に関する。
【背景技術】
【０００２】
従来より、建物外壁の入隅等に配置される外壁パネルの設置方法が提案されている。例えば、特許文献１の発明では、建物入隅部の躯体に固定される三角柱状の鋼板と、三角形状の鋼板にボルトで回転可能に固定され、建物の入隅を形成する２つの外壁用パネルの側面溝にそれぞれ嵌合する鋼板とを備えた金具が開示されている。
【０００３】
外壁用パネルに嵌合する鋼板は、その両端部を建物入隅部の角度と同様の角度に折曲している。折曲された鋼板の両端部を上下方向に揃えた後、外壁用パネルを所定位置に配置し、鋼板を目地の隙間から左右方向に回転させて鋼板の両端部を外壁用パネルに嵌合し、ボルトで締め付けることによって外壁用パネルを躯体に固定することができる。このように鋼板を回転させることによって、建物の入隅を形成する外壁用パネルを容易に取付けることができる。
【先行技術文献】
【特許文献】
【０００４】
【特許文献１】特開平６−１７３４１９
【発明の概要】
【発明が解決しようとする課題】
【０００５】
しかしながら、建物外壁及びバルコニー腰壁の入隅等では、外壁用パネルを固定する柱などの外壁下地材が、建物形状によって複雑に入り組んでいることが多く、外壁下地材と外壁用パネルとの間に十分な離隔距離を確保出来ず取付金具周りの空間が狭くなることがある。そのような場合、特許文献１のような回転式の取付金具では、回転する鋼板と、外壁下地材及び外壁パネルの側面溝とが干渉してしまい、鋼板が上手く回転出来ずに使用できない場合も多くある。また、外壁下地材に固定する鋼板と回転させる鋼板とを別体とし、回転させる鋼板を屋外側から取付ければ外壁用パネルを設置することができるが、このような小さな金具は紛失しやすく工事現場での保管が難しい。
【０００６】
また、特許文献１の取付金具は、入隅を形成する２つの外壁パネルの端部を同時に固定することができるが、一方の外壁パネルを取替えたい場合に、他方の外壁パネルの端部の固定を一旦解除しなければ一方の外壁パネルを取替えすることができず、施工手間がかかるという問題点が挙げられる。
【０００７】
そこで、本発明は、上述した課題を鑑みてなされたものであって、入隅に配置される外壁パネルの端部を固定する際に、外壁取付具周りのスペースが狭隘な場合においても容易に外壁パネルを脱着することのできる外壁取付具及び外壁取付具を用いた外壁取付構造を提供することを目的とする。
【課題を解決するための手段】
【０００８】
本発明の第１の外壁取付具は、屋内側の側端から側方向へ突出する板片を設置した外壁パネルの側端部を外壁下地材に固定する外壁取付具であって、前記外壁下地材に支持されるとともに前記板片に当接する支持部材と、前記支持部材の先端側に形成される固定部の屋外側に固定されて、前記板片を前記支持部材に押える板状の押え板と、を備え、前記固定部は、前記板片の先端より水平方向へ突出し、且つ、屋外方向へ傾斜して前記押え板を水平方向へスライド自在に固定することを特徴としている。
【０００９】
本発明の第２の外壁取付具は、前記押え板が、前記固定部の前記板片に対する傾斜角度未満の角度で折曲げられていることを特徴としている。
【００１０】
本発明の第３の外壁取付具は、前記固定部が、内周面に雌ねじを有する第一挿通孔を有し、前記押え板が、前記板片の延びる方向へ細長な第二挿通孔を有し、前記固定部及び前記押え板が、該押え板側から前記第二挿通孔を挿通して前記第一挿通孔に螺着されるボルトによって、前記板片を間に挟んだ状態で固定されることを特徴としている。
【００１１】
本発明の第４の外壁取付具は、前記固定部と前記押え板との間に、前記ボルトに外嵌するコイルばねが介在することを特徴としている。
【００１２】
本発明の外壁取付構造は、建物の入隅を形成する２つの外壁パネルの交差部の小口面を、屋内側に向って傾斜させて形成される外壁目地に、請求項１から請求項４のいずれかの外壁取付具の前記押え板が面するようにして、前記２つの外壁パネルのうち一方の外壁パネルと前記建物の前記外壁下地材とが連結固定されることを特徴としている。
【発明の効果】
【００１３】
本発明の第１の外壁取付具は、外壁下地材に支持されるとともに板片に当接する支持部材と、支持部材の固定部の屋外側に締付固定されて板片を支持部材に押える板状の押え板と、を備えている。また、押え板は水平方向へスライド自在に固定部に固定され、固定部は板片の先端よりも水平方向へ突出して板片に対し屋外方向へ傾斜している。したがって、押え板を板片から離反する方向へスライドした状態で固定しておき、外壁パネルを所定位置に配置して板片を支持部材に当接した後に、押え板を板片に近接する方向へスライドして固定することにより、支持部材に外壁パネルの板片を押圧して固定することができる。そして、固定部に固定される押え板は、板片に対して屋外側に傾斜するので、入隅のように外壁下地材が密集していて外壁取付具周りの空間が狭い場合であっても、外壁取付具が外壁下地材や板片に干渉することなく容易に外壁パネルを設置することができる。また、押え板を入隅に配置される２つの外壁パネルが形成する目地に面して設置することにより、目地から工具を差し込んで外壁取付具を操作することができ、外壁パネルの着脱作業を容易に行うことができる。
【００１４】
本発明の第２の外壁取付具によると、押え板は、固定部の板片に対する傾斜角度未満の角度で折曲げられているので、押え板を板片側へ容易にスライドさせることができ、板片を押え板と支持部材との間に挟んで確実に固定することができる。。
【００１５】
本発明の第３の外壁取付具によると、固定部は、内周面に雌ねじを有する第一挿通孔を有し、押え板は、板片の延びる方向へ細長な第二挿通孔を有し、固定部及び押え板は、押え板側から第二挿通孔を挿通して第一挿通孔に螺着されるボルトによって、板片を間に挟んだ状態で固定される。したがって、屋外側からボルトを操作することにより、押え板を自由にスライドさせることができ、また、板片を固定部と押え板との間に挟む込むことができるので施工性を向上させることができる。そして、ボルトは第一挿通孔に螺着するので、押え板と支持部材は、常時一体で持ち運べることができ、工事現場でのどちらか一方の部材の紛失を防止することができる。
【００１６】
本発明の第４の外壁取付具によると、固定部と押え板との間にボルトに外嵌するコイルばねが介在するので、ボルトを緩めた時には押え板が固定部から離反して板片を挟み込む隙間を常時保つことができる。
【００１７】
本発明の外壁取付構造によると、建物の入隅を形成する２つの外壁パネルの交差部の小口面を、屋内側に向って傾斜させて形成される外壁目地に、第１から第４のいずれかの外壁取付具の押え板が面するようにして、２つの外壁パネルのうち一方の外壁パネルと建物の外壁下地材とが連結固定されるので、複数の外壁下地材が密集するような建物の入隅においても容易に外壁パネルの脱着を行うことができる。
【図面の簡単な説明】
【００１８】
【図１】建物の概略平面図。
【図２】図１のＸ部を示す部分拡大断面図。
【図３】図１のＹ部を示す部分拡大断面図。
【図４】図１のＸ部に設置する外壁取付具を示す側面図。
【図５】図１のＸ部に設置する外壁取付具を示す分解斜視図。
【図６】図１のＹ部に設置する外壁取付具を示す分解斜視図。
【図７】図１に示すＸ部の外壁取付具の固定部に外壁パネルの板片を当接する様子を示す断面図。
【図８】図１に示すＸ部の外壁取付具の押え板の固定を緩めて、押え板を板片に近接する方向へスライドさせる様子を示す断面図。
【図９】図１に示すＸ部の外壁取付具の押え板を板片に近接する方向へスライドさせて固定する様子を示す断面図。
【発明を実施するための形態】
【００１９】
以下、外壁取付具の最良実施形態について各図を参照しつつ説明する。本願の外壁取付具１は、図１に示すように、主に建物Ａの入隅であるＸ部や入隅と出隅とが近接するＹ部などに使用されるが、これに限定されることはなく、外壁の平面部に使用することもできる。ここでは、建物の入隅に使用される場合について説明する。
【００２０】
外壁取付具１は、図２及び図３に示すように、屋内側の側端から側方向へ突出する板片２１を設置した外壁パネル２の側端部を外壁下地材３に固定する金具であって、外壁下地材３に固定され、板片２１に当接する支持部材１１と、支持部材１１の先端側に形成される固定部１１ｃの屋外側に締付固定されて、板片２１を支持部材１１に押える板状の押え板１２と、を備えており、支持部材１１と押え板１２とは、ボルト１３によって固定されている。
【００２１】
支持部材１１は、図４及び図５に示されるように、１枚の平板を折曲して形成された部材で、外壁下地材３に支持固定される支持部１１ａと、支持部１１ａの一端を支持部１１ａに直交する方向へ折曲して形成され、外壁パネル２の板片２１に当接する当接部１１ｂと、当接部１１ｂの先端を支持部１１ａと反対の方向へ折曲させて押え板１２を固定する固定部１１ｃと、を有している。
【００２２】
支持部１１ａは板厚方向へ貫通する貫通孔１１ｄを支持部１１ａの略中央に形成しており、固定部１１ｃは板厚方向へ貫通する第１挿通孔１１ｅを互いに間隔を空けて２箇所形成している。この２つの第１挿通孔１１ｅは、当接部１１ｂの延びる方向に対して直交する方向へ沿って配置されており、内周面に雌ねじを形成している。また、当接部１１ｂの先端を折曲して形成される固定部１１ｃは、当接部１１ｂに対して傾斜しており、その傾斜角度θ１は特に限定されないが、４０度〜４５度程度が好適である。
【００２３】
図５に示すように、押え板１２は、１枚の平板を固定部１１ｃと同じ方向へ折曲した部材であり、その折曲げ角度θ２は傾斜角度θ１よりも小さい。折曲げ角度θ２は特に限定されないが、３０度程度が好ましい。また、押え板１２は、板厚方向へ貫通する細長の第２挿通孔１２ａを互いに間隔を空けて２箇所形成している。この第２挿通孔１２ａは、押え板１２の折れ曲がった部分を跨いで細長に延びており、孔同士の間隔は、第１挿通孔１１ｅ同士の間隔と同一に形成されている。
【００２４】
図４及び図５に示すように、支持部材１１及び押え板１２は、押え板１２側から第２挿通孔１２ａに挿通して第１挿通孔１１ｅに螺着する２本のボルト１３によって固定されている。押え板１２は、ボルト１３の締付けを緩めると細長の第２挿通孔１２ａに沿ってスライドすることができる。また、ボルト１３の頭部には、屋外側に開いた穴１３ａが形成されており、六角レンチなどの工具４を差し込むと係合することができる。そして、押え板１２と固定部１１ｃとの間には、ボルト１３に外嵌するコイルばね１４が介在しており、ボルト１３を緩めた時に押え板１２が固定部１１ｃから離反して板片２１を挟み込む隙間を常時保つことができる。
【００２５】
なお、支持部材１１は、以上に説明した機能を果たせるのであればその形状を限定されることはなく、外壁下地材３の形状に応じて変更してもよい。例えば、図３に示すように、建物の入隅と出隅が近接していて外壁下地材３の形状が不規則となる場合は、支持部材１１の形状の一例として図６に示すように、平板の一端に切込みを入れ、切込みの両隣に位置する板部分をそれぞれ異なる方向へ折り曲げて支持部１１ａ及び固定部１１ｃを形成してもよい。
【００２６】
次に、この外壁取付具１を用いた外壁取付構造５について説明する。図１は、外壁パネル２を設置する建物Ａの概略平面図である。外壁取付構造５は、建物Ａの入隅であるＸ部や入隅と出隅とが近接するＹ部に用いることができる。
【００２７】
外壁取付構造５は、図２及び図３に示すように、入隅を形成する２つの外壁パネル２、２３の交差部のそれぞれの小口面を屋内側に向って傾斜させて形成される所謂留め形状の外壁目地６に、外壁取付具１の押え板１２が面するようにして、２つの外壁パネル２、２３のうち一方の外壁パネル２と外壁下地材３とが連結固定される構造である。
【００２８】
外壁パネル２は、外壁下地材３に設置されて建物Ａの外壁面を形成する部材である。Ｘ部のように一般的な入隅に設置される場合は矩形平板状に形成されるが、Ｙ部のように入隅と出隅とが近接する場所に設置される場合は、建物Ａの形状に合わせて角部を有する役物形状をしている。外壁パネル２は、屋内方向へ開く溝形鋼２２を屋内側の側端部に沿って設置しており、溝形鋼２２には、外壁パネル２の側方向へ延びる板片２１が固定されている。この板片２１は、外壁パネル２の入隅側の小口面２ａよりも突出している。
【００２９】
また、外壁パネル２は、図２及び図３に示すように、入隅側の小口面２ａを屋内側に向けて傾斜させている。この傾斜角度は、外壁取付具１を外壁下地材３に固定した際に、固定部１１ｃに略直交する角度となっている。なお、各図では、小口面２ａの一部分を屋内側に向けて傾斜させているが、小口面２ａ全体を傾斜させてもよい。
【００３０】
外壁下地材３は、外壁パネル２を支持することが可能な鉛直方向へ延びる部材で、躯体である柱や間柱である。なお、外壁下地材３の形状は、外壁パネル２及び外壁取付具１を支持固定できるものであれば特に限定されることは無く、溝形鋼の他にＣ形鋼やＨ形鋼、鋼管、又は木質系の角柱などであってもよい。
【００３１】
次に、外壁パネル２の入隅側の端部を外壁固定具１を用いて外壁下地材３に設置する手順について、図１のＸ部を中心に説明する。図２に示すように、Ｘ部には、外壁パネル２を設置するための外壁下地材３が複数密集した状態で配置されている。まず、図７に示すように、当接部１１ｂが屋外側に位置するとともに固定部１１ｃが入隅側に位置するように支持部材１１ａを外壁下地材３に固定する。外壁取付具１の外壁下地材３への固定は、外壁下地材３に設置された固定ボルト１３ｂを支持部１１ａの貫通孔１１ｄに挿通し、反対側からナット１３ｃで締付固定する。このとき、固定部１１ｃ及び固定部１１ｃに固定された押え板１２は、共に屋外方向へ傾斜しており、押え板１２は、板片２１に離反する方向へスライドさせた状態で固定部１１ｃに固定されている。
【００３２】
続いて、外壁パネル２を屋外側から所定の位置に配置し、板片２１を当接部１１ｂに当接させる。このとき、固定部１１ｃは、板片２１の先端よりも水平方向へ突出し、押え板１２は板片２１から離反する位置に固定されているので、押え板１２が板片２１に干渉することなく外壁パネル２を容易に配置することができる。
【００３３】
次に、図８に示すように、六角レンチなどの工具４を屋外側からボルト１３の穴１３ａに差込み、ボルト１３を緩める方向へ回転させて押え板１２を板片２１に近接する方向へスライドさせる。そして、図９に示すように、第２挿入孔１２ａの長手方向の縁端にボルト１３の軸が当接するまで押え板１２を板片２１の方向へ移動させ、再びボルト１３を締付ける方向へ回転させて押え板１２を固定し、板片２１を当接部１１ｂに押えつける。このとき、外壁パネル２の小口面２ａの傾斜角度は、固定部１１ｃに略直交するので、工具４を使用して容易に外壁取付具１を操作することができる。
【００３４】
また、先述したように、押え板１２の折曲げ角度θ２は、固定部１１ｃの傾斜角度θ１よりも小さいので、押え板１２を板片側へスライドさせて締付けると、押え板１２の板片２１と反対側の縁端が固定部１１ｃの先端に近接する。したがって、確実に板片２１を押え板１２と固定部１１ｃとの間に挟み込んで固定することができる。
【００３５】
このように外壁取付構造５を形成した後、図２に示すように、入隅を形成する他方の外壁パネル２３を専用の金具を用いて設置する。なお、この他方の外壁パネル２３も、外壁パネル２と同様に入隅側の小口面を屋内側に向けて傾斜して形成しており、外壁パネル２との間に所謂留め形状の縦目地である外壁目地６を形成する。そして、外壁目地６にシーリングバックアップ材７aを詰め込み、シーリング７を打設して入隅を完成させる。なお、ここでは、外壁パネル２を先に設置したが、他方の外壁パネル２３を先に設置しても問題はない。
【００３６】
外壁パネル２を取り外す際は、以上に説明した手順を逆から行えばよく、シーリング７及びシーリングバックアップ材７ａを取り外し、外壁目地６から工具４を差し込んで外壁取付具１を操作し、外壁パネル２を取り外せばよい。このように、外壁取付具１は、入隅に配置される一方の外壁パネル２の側端部のみを固定するので、一方の外壁パネル２のみを取替えたい場合に、容易に脱着することができ、メンテナンス性を向上することができる。
【００３７】
また、固定部１１ｃ及び固定部１１ｃに固定される押え板１２が屋外方向へ傾斜しているので、図１のＸ部やＹ部のように、外壁下地材３が複数密集していても外壁取付具１に干渉することはなく、僅かな空間を利用して外壁パネル２を確実に固定することができる。また、押え板１２は水平方向へスライドして板片２１に当接するので、外壁下地材３と外壁パネル２との離隔距離が十分に確保出来ない狭い空間であっても、押え板１２が板片２１に干渉することを防止できる。
【００３８】
そして、支持部材１１及び押え板１２は、ボルト１３によって常時一体に固定されているので、工事現場で改めて２部材を組み合わせる必要がなく、またどちらか一方の金具を紛失することを防止でき、施工性を向上することができる。さらに、押え板１２は対称形の単純な形状であるとともに、外壁下地材３の形状に関わらず同一形状のものを使用できるので、様々な形状の支持部材１１への取付け間違いを防止するだけでなく製作時の費用も抑えることができる。
【００３９】
また、本発明の実施の形態は上述の形態に限ることなく、本発明の思想の範囲を逸脱しない範囲で適宜変更することができることは云うまでもない。
【産業上の利用可能性】
【００４０】
この発明は、建物の入隅に配置される外壁材を設置する場合に好適に使用することができる。
【符号の説明】
【００４１】
１      外壁取付具
１１    支持部材
１１ｃ  固定部
１１ｅ  第１挿通孔
１２    押え板
１２ａ  第２挿通孔
１３    ボルト
１４    コイルばね
２      外壁パネル
２ａ    小口面
３      外壁下地材
５      外壁取付構造
θ１    傾斜角度
【図１】
2019019644.tif 000003
【図２】
2019019644.tif 000004
【図３】
2019019644.tif 000005
【図４】
2019019644.tif 000006
【図５】
2019019644.tif 000007
【図６】
2019019644.tif 000008
【図７】
2019019644.tif 000009
【図８】
2019019644.tif 000010
【図９】
2019019644.tif 000011